(57)【要約】【課題】  ユーザが、画像を表示することなく、操作したいプロジェクタおよびプロジェクタ群の設定および状態を知ることにより、操作可能であるプロジェクタおよびプロジェクタ群を認識、操作することができる装置を提供すること。【解決手段】  複数の装置から少なくとも1台以上の装置のグループを検出する検出手段を具備し、 前記検出手段は、前記装置の情報からグループを推定する。【選択図】  図１
2018101328.tif 000002
【特許請求の範囲】
【請求項１】
複数の装置から少なくとも1台以上の装置のグループを検出する検出手段を具備し、 前記検出手段は、前記装置の情報もしくは前記装置への操作からグループを推定することを特徴とする検出装置。
【請求項２】
請求項1に記載の検出装置であって、あらかじめ検出したいグループに含まれる装置の数を入力し、前記入力された装置の数に従ってグループを推定することを特徴とする検出装置。
【請求項３】
前記複数の装置は信号が入力された時間を記憶することのできる装置であって、 前記検出手段は前記複数の層置に同期信号を送信し、 前記複数の装置は同期信号に従って信号が入力された時間との相対時間を前記検出装置に送信し、 前記検出手段は前記相対時間に従ってグループを推定することを特徴とする請求項1に記載の検出装置 。
【請求項４】
前記複数の装置は前記検出手段によって検出された自身を含むグループを記憶することのできる装置であって、前記検出手段は前記複数の装置から過去の検出結果を受信し、前記過去の検出結果に従ってグループを推定することを特徴とする請求項1に記載の検出装置 。
【請求項５】
前記複数の装置は無線通信可能な装置であって、前記検出手段は前記複数の装置が無線通信可能な装置の情報に従ってグループを推定することを特徴とする請求項1に記載の検出装置 。
【請求項６】
請求項1に記載の検出装置であって、複数の装置へのリモコン操作および、本体操作、音、振動の少なくとも一つを用いてグループを推定することを特徴とする検出装置。
【請求項７】
請求項1乃至6のいずれか１項に記載の検出装置であって、推定可能な情報を取得した場合、グループ推定結果を少なくとも1つ以上提示することを特徴とする検出装置。
【発明の詳細な説明】
【技術分野】
【０００１】
本発明は、表示装置およびその制御方法に関するものである。
【背景技術】
【０００２】
従来、PC（Personal Computer）と複数のプロジェクタが接続されている環境において、特定のプロジェクタ、またはプロジェクタ群を操作することが求められる場合がある。しかし、1対1で接続している場合とは違い、ネットワークなどで複数対複数として接続されている場合には、特定のプロジェクタ、またはプロジェクタ群を認識することは難しい。
【０００３】
従来、あるプロジェクタに対して操作を行うことでユーザがプロジェクタを特定する方法が知られている。例えば、特許文献1では、接続先であることを示す画像を表示することで特定のプロジェクタであることを通知する方法が開示されている。
【先行技術文献】
【特許文献】
【０００４】
【特許文献１】特許第5088467号明細書
【発明の概要】
【発明が解決しようとする課題】
【０００５】
しかしながら、上述の特許文献に開示された従来技術では、接続先であることを示す画像を表示することが必要となる。ネットワークなどで複数のプロジェクタがつながれている場合に画像を表示すると、画像を表示してはいけないプロジェクタに対しても画像を表示してしまう可能性があり、かつ画像を表示してはいけないプロジェクタを認識することは難しいという問題がある。
【課題を解決するための手段】
【０００６】
上記目的を達成するために、本発明では、複数の装置から少なくとも1台以上の装置のグループを検出する検出手段を具備し、 前記検出手段は、前記装置の設定や状態、過去の検出結果からグループを推定することを特徴とする。
【発明の効果】
【０００７】
本発明によればユーザは、画像を表示することなく、操作したいプロジェクタおよびプロジェクタ群の設定および状態を知ることにより、操作可能であるプロジェクタおよびプロジェクタ群を認識、操作することができる。
【図面の簡単な説明】
【０００８】
【図１】本発明の実施の一形態にかかるプロジェクタの構成。
【図２】本発明の実施例１の手順を示すフローチャートである。
【図３】本発明の実施例２の手順を示すフローチャートである。
【図４】本発明の実施例３の手順を示すフローチャートである。
【図５】本発明の実施例４の手順を示すフローチャートである。
【図６】本発明の実施例５の手順を示すフローチャートである。
【発明を実施するための形態】
【０００９】
以下に、本発明の好ましい実施の形態を、添付の図面に基づいて詳細に説明する。図1は、本発明の実施の一形態にかかるプロジェクタの構成図である。
【００１０】
［実施例１］
本発明における装置グループ100〜102は、ネットワークによって検出装置110とつながっているプロジェクタ群である。装置グループ100〜102は、ネットワークを介して検出装置110から情報取得要求を受け取ると、検出装置110に対して自装置の情報を送出する。このとき、前期自装置の情報は、電源ON/OFFの状態、入力の状態、入力信号、プロジェクタの機種、プロジェクタのシリアル番号、各種画質設定、ズーム、フォーカス、シフト、レンズ種別、エッジブレンド設定、各種温度情報など、プロジェクタの状態や設定に関わるものである。
【００１１】
検出装置110は受信した装置情報が一致している項目の多い装置は同じグループであるとし、グループを推定する。グループの推定結果が決まるとユーザへ通知する。ユーザは提示された推定結果をもとに操作したいグループを選択する。ここでグループは1台以上の装置群を指す。図2は実施例1の手順を示すフローチャートである。図2を用いて検出装置によって装置グループを推定する手順を説明する。まず、検出装置110は、装置情報を取得する（S101）。
【００１２】
次に、ユーザはあらかじめ検出したいグループに含まれる装置の数を検出装置へ入力する（S102）。そして、装置情報と入力された装置数から、装置情報が一致する装置の数が入力された装置数と一致するように装置を検索する（S103）。この際、装置情報によって重みを変えあらかじめ設定したグループ推定時の優先度によって判断してもよい。また、装置数を未定にすることで装置数に関わらず推定を行ってもよい。最後に検出したグループ一覧をユーザへと提示する（S104）。提示されたグループ一覧からユーザがもっともらしいグループを選択することで、操作する装置群を選択することができる。
【００１３】
また、提示時にグループに含まれる装置情報を同時に提示することでユーザはより簡潔に操作したい装置および装置群を選択することができる。さらに提示の際には各グループ推定結果のもっともらしさを表示することで、ユーザがグループを選択する際の指標としてもよい。
【００１４】
本実施例によれば、ユーザが画像を表示することなく、操作したい装置および装置群の設定および状態を知ることにより、操作可能である装置および装置群を認識、操作することができる。
【００１５】
［実施例2］
図3は、実施例2のフローチャートである。実施例2において実施例1と異なる部分は、装置情報として信号が入力された時間を用いることであり、装置はそのための情報を確保することが可能であることが特徴となる。各装置は、入力信号を受け取ると受け取った時間を記憶し、検出装置から送出される同期信号を受信した際に入力信号受付開始時間から同期信号受信時間までの時間を入力信号受付時間とする。検出装置110は入力信号受付時間を含む装置情報を用いてグループの推定を行う。
【００１６】
図3を用いて検出装置110によって信号が入力された時間を用いて装置グループを推定する手順を説明する。まず、検出装置110は、同期信号を送出する（S201）。同期信号を受けた各装置は、同期信号に従って入力信号受付時間を決定し、装置情報とともに検出装置へと送出する。検出装置は送出された入力信号受付時間を受信する（S202）。そして受信した入力信号受付時間を含む装置情報からグループを推定する（S203）。最後に受信した入力信号受付時間と装置情報から推定したグループを提示する（S204）。
【００１７】
これにより、各装置の使用状況に従ったグループ推定が可能になり、ユーザはより簡便にグループの選択が行えるようになる。
【００１８】
本実施例によれば、ユーザが画像を表示することなく、操作したい装置および装置群の設定および状態を知ることにより、操作可能である装置および装置群を認識、操作することができる。
【００１９】
［実施例3］
図4は、実施例3のフローチャートである。実施例3において実施例1と異なる部分は、装置情報として過去のグループ情報を用いることであり、装置はそのための情報を確保することが可能であることが特徴となる。検出装置は、ユーザがグループ選択した際に、各装置へとグループ情報を送出する。グループ情報に含まれている装置は、自装置を含むグループ情報に含まれている装置一覧を記憶する。次回装置情報送出時には、各装置が記憶しているグループ情報も装置情報として送出する。検出装置110は各装置が記憶しているグループ情報を含む装置情報を用いてグループの推定を行う。
【００２０】
図4を用いて検出装置110によって過去のグループ情報を用いて装置グループを推定する手順を説明する。まず、検出装置110の情報要求に応じて各装置はグループ情報を送出する。検出装置110は、グループ情報を受信する（S301）。検出装置110がグループ情報を受信した場合（S302）、検出装置110は、受信したグループ情報を含む装置情報からグループを推定する（S303）。グループ情報が含まれていなかった場合、通常の処理を行う。検出装置110は、推定結果をユーザへ提示する（S304）。ユーザは提示された推定結果からグループを選択し、操作したい装置を確定する。
【００２１】
検出装置110は選択されたグループをグループ情報とする（S305）。検出装置110は、グループ情報を各装置へと送出し、各装置はグループ情報に従って記憶を行う（S306）。このとき、各装置は表示装置をもつ時保持しているグループ情報を表示してもよい。グループ情報を表示することにより、ユーザによる確認が容易となる。これにより、各装置の設置状況や使用状況が変わらない場合にユーザはより簡便にグループの選択が行えるようになる。
【００２２】
本実施例によれば、ユーザが画像を表示することなく、操作したい装置および装置群の設定および状態を知ることにより、操作可能である装置および装置群を認識、操作することができる。
【００２３】
［実施例4］
図5は、実施例4のフローチャートである。実施例4において実施例1と異なる部分は、装置情報として無線通信情報を用いることであり、装置はそのための機能を具備していることが特徴となる。各装置は、装置情報送出時に、各装置の無線通信情報、例えば検出可能なアクセスポイントや各アクセスポイントとの電波強度などを装置情報として送出する。検出装置110は装置情報を含む装置情報を用いてグループの推定を行う。
【００２４】
図5を用いて検出装置110によって無線通信情報を用いて装置グループを推定する手順を説明する。まず、検出装置110の情報要求に応じて各装置は無線通信情報を送出する。検出装置110は、無線通信情報を受信する（S401）。検出装置110は、受信した無線通信情報を含む装置情報からグループを推定する（S402）。このとき、各装置が検出したアクセスポイントや電波強度からグループを推定してもいいし、検出装置110に無線通信機能が具備されている場合は、検出装置110が検出可能なアクセスポイントや電波強度からグループを推定してもかまわない。最後に、検出装置110は、推定結果をユーザへ提示する（S403）。
【００２５】
ユーザは提示された推定結果からグループを選択し、操作したい装置を確定する。これにより、各装置の設置状況に従ったグループ推定が可能となり、ユーザはより簡便にグループの選択が行えるようになる。
【００２６】
本実施例によれば、ユーザが画像を表示することなく、操作したい装置および装置群の設定および状態を知ることにより、操作可能である装置および装置群を認識、操作することができる。
【００２７】
［実施例5］
図6は、実施例5のフローチャートである。実施例5において実施例1と異なる部分は、装置情報として操作情報を用いることであり、装置はそのための機能を具備していることが特徴となる。各装置は、装置情報送出時に、各装置の操作情報、例えばリモコンによる操作、装置に具備してあるボタン、音や振動などを装置情報として送出する。検出装置110は装置情報を用いてグループの推定を行う。
【００２８】
図6を用いて検出装置110によって無線通信情報を用いて装置グループを推定する手順を説明する。まず、検出装置110の情報要求に応じて各装置は操作情報を送出する。検出装置110は、操作情報を含む装置情報を受信する。このとき検出装置は特定の時間装置情報の受信待ちを行う（S501）。このとき、検出装置110は時間待ちではなく、ユーザからの指定により受信待ちを終了してもよい。検出装置110は、受信した操作情報を含む装置情報からグループを推定する（S502）。
【００２９】
このとき、各装置が送出した操作情報の種類によってグループを推定してもいいし、操作情報の種類によらずグループを推定してもかまわない。最後に、検出装置110は、推定結果をユーザへ提示する（S503）。ユーザは提示された推定結果からグループを選択し、操作したい装置を確定する。これにより、任意の装置に対してグループ推定が可能となり、ユーザはより簡便にグループの選択が行えるようになる。
【００３０】
本実施例によれば、ユーザが画像を表示することなく、操作したい装置および装置群の設定および状態を知ることにより、操作可能である装置および装置群を認識、操作することができる。
【００３１】
以上、本発明の好ましい実施形態について説明したが、本発明はこれらの実施形態に限定されず、その要旨の範囲内で種々の変形及び変更が可能である。また、実施例1至5において個別のグループ推定方法として説明したが、それらを組み合わせた方法でグループ推定を行ってもかまわない。
【符号の説明】
【００３２】
100,101,102  プロジェクタ群
110  検出装置
【図１】
2018101328.tif 000003
【図２】
2018101328.tif 000004
【図３】
2018101328.tif 000005
【図４】
2018101328.tif 000006
【図５】
2018101328.tif 000007
【図６】
2018101328.tif 000008